(57)【要約】【課題】低消費電力を実現する表示装置を提供する。【解決手段】基板ＳＢ１上にマトリクス状に配置された複数の画素電極ＰＥと、画素電極ＰＥが配列する行に沿って配置された複数の走査線ＧＬと、画素電極ＰＥが配列する列に沿って配置された複数の信号線ＳＬと、複数の走査線ＧＬと複数の信号線ＳＬとのそれぞれが交差する位置近傍に配置された画素スイッチＳＷと、複数の信号線ＳＬの複数の組毎に短絡させるように構成された信号線短絡回路１０と、複数の画素電極ＰＥの配列する行方向および列方向において、複数の組の数ごとに極性の異なる映像信号を画素電極ＰＥに供給するように構成された駆動部７と、を備える表示装置。【選択図】図１
2011164281.tif 000002
【特許請求の範囲】
【請求項１】
基板上にマトリクス状に配置された複数の画素電極と、
前記画素電極が配列する行に沿って配置された複数の走査線と、
前記画素電極が配列する列に沿って配置された複数の信号線と、
前記複数の走査線と前記複数の信号線とのそれぞれが交差する位置近傍に配置された画素スイッチと、
前記複数の信号線の複数の組毎に短絡させるように構成された信号線短絡回路と、
前記複数の画素電極の配列する行方向および列方向において、前記複数の組の数ごとに極性の異なる映像信号を前記画素電極に供給するように構成された駆動部と、を備える表示装置。
【請求項２】
基板上にマトリクス状に配置された複数の画素電極と、
前記画素電極が配列する行に沿って配置された複数の走査線と、
前記画素電極が配列する列に沿って配置された複数の信号線と、
前記複数の走査線と前記複数の信号線とのそれぞれが交差する位置近傍に配置された画素スイッチと、
前記複数の信号線の複数の組毎にプリチャージ電圧を供給するように構成されたプリチャージ回路と、
前記複数の画素電極の配列する行方向および列方向において、前記複数の組ごとに極性の異なる映像信号を前記画素電極に供給するように構成された駆動部と、を備える表示装置。
【請求項３】
前記駆動部の出力端子と、前記複数の組の数の信号線との接続を切り替える信号線切替回路をさらに備える請求項１または請求項２記載の表示装置。
【請求項４】
前記駆動部は、前記複数の画素電極が配列する行方向および列方向において、任意の前記画素電極に隣接する画素電極に印加される映像信号の極性を互いに異なるものとするように構成された請求項１または請求項２記載の表示装置。
【請求項５】
前記信号線短絡回路あるいはプリチャージ回路と、前記信号線切替回路とは、複数のスイッチング回路を備え、
前記複数のスイッチング回路のレイアウトは同一である請求項３記載の表示装置。
【発明の詳細な説明】
【技術分野】
【０００１】
本発明は表示装置に関し、特にアクティブマトリクス型の表示装置に関する。
【背景技術】
【０００２】
アクティブマトリクス型の液晶表示装置に用いられる信号線の駆動方式、すなわち各信号線から各画素への映像信号の書き込み方式として、クロストークやフリッカを防止し、かつＨ／Ｖ反転駆動法に比べて消費電力を抑えることができるものとして、２Ｈ２Ｖ反転方式が提案されている（例えば特許文献１参照）。
【０００３】
２Ｈ２Ｖ反転駆動では、任意の画素電極に隣接する左右（水平走査方向）の画素電極に印加される映像信号の正負極性を互いに異なるものにするとともに、その任意の画素電極に隣接する上下（垂直走査方向）の画素電極に印加される映像信号の正負極性も互いに異なるように制御する。
【０００４】
このような制御を行うことで、垂直走査方向に並ぶ表示画素の画素容量の極性は、２水平走査期間毎に正負が反転するので、信号線と画素電極間のカップリング容量に起因する画素電位変動がキャンセルされて、縦クロストークの発生を防止することができる。
【０００５】
また、１水平走査期間の１行中においても、正極性画素と負極性画素との数がほぼ均等となって偏りがないので、横クロストークの発生も防止することができる。さらに、各フレームについて正極性画素と負極性画素との数がほぼ均等となって偏りがないので、フリッカが生じることがなく良好な表示品位を得ることができる。また、垂直走査方向における映像信号の正負反転周期が２水平走査期間毎となるので、図７に示すようなＨ／Ｖ反転駆動方式に比較して消費電力を抑えることが出来る。
【０００６】
ところで、アクティブマトリクス型の表示装置に用いられる信号線の駆動方式として、特に低消費電力化を目的としたものとして、信号線短絡回路を用いた駆動法が提案されている（例えば、特許文献２参照）。
【０００７】
上記文献に記載された駆動方法では、ある１水平走査期間、複数の信号線に対し交互に正極性と負極性との書き込みデータ信号を印加して、各画素電極に正極性と負極性との信号を交互に書き込みを行う。そして、その次の水平走査期間に駆動される走査線に電気的に接続された画素電極に書き込みを行う前に、全ての信号線を短絡する。
【０００８】
その後、前の１水平走査期間とは逆極性となるように、交互に正極性と負極性との書き込みデータ信号を複数の信号線に印加して、次の１水平走査期間に駆動される走査線に電気的に接続された画素電極に書き込みを行う。このとき、各信号線の電位は、正（負）電位、中間電位、負（正）電位、中間電位、…というパターンを繰り返す。
【０００９】
通常の画像データで、１画面における全正極性画素と全負極性画素との平均諧調は、ほぼ同じであると考えると、全ての信号線を短絡することにより、全ての信号線電位は中間電位となる。信号線同士を短絡するのみであるから、信号線駆動回路からの電力供給は不要であり、信号線駆動回路は、各信号線電位を正（負）電位から負（正）電位へ変位させるのではなく、中間電位から負（正）電位へ変位させるのみで足りるため、消費電力は半減されることとなる。
【先行技術文献】
【特許文献】
【００１０】
【特許文献１】特開２００３−２１５５４０号公報
【特許文献２】特開平９−２４３９９８号公報
【発明の概要】
【発明が解決しようとする課題】
【００１１】
上記のような、２Ｈ２Ｖ反転駆動と信号線短絡駆動との２つの駆動方法を組み合わせる場合について検討する。２Ｈ２Ｖ反転駆動を採用した場合にも、通常の画像データにおいては、１画面における、正極性全画素と負極性全画素との平均諧調は、ほぼ同じであると考えると、全ての信号線を短絡することにより、全ての信号線電位は中間電位となる。
【００１２】
このときの、各信号線の電位は、正（負）電位、中間電位、正（負）電位、中間電位、負（正）電位、中間電位、負（正）電位、中間電位、正（負）電位・・・というパターンを繰り返す。正（負）電位から負（正）電位へと極性が変化する行では、信号線駆動回路は、各信号線電位を正（負）電位から負（正）電位へ変位させるのではなく、中間電位から負（正）電位へ変位させるのみで足りるため、消費電力は半減されることとなる。一方、正（負）電位から正（負）電位へと極性が変化しない行では、正（負）電位から中間電位を介して再び正（負）電位へ変動させてしまうため、消費電力は増加してしまうことなる。
【００１３】
したがって、上記の２Ｈ２Ｖ反転駆動と信号線短絡駆動とを組み合わせると、全体として、消費電力を低減させることが困難であった。本発明は、上記に鑑みてなされたものであり、低消費電力を実現する表示装置を提供することを目的とする。
【課題を解決するための手段】
【００１４】
本発明の第１態様による表示装置は、基板上にマトリクス状に配置された複数の画素電極と、前記画素電極が配列する行に沿って配置された複数の走査線と、前記画素電極が配列する列に沿って配置された複数の信号線と、前記複数の走査線と前記複数の信号線とのそれぞれが交差する位置近傍に配置された画素スイッチと、前記複数の信号線の複数の組毎に短絡させるように構成された信号線短絡回路と、前記複数の画素電極の配列する行方向および列方向において、前記複数の組の数ごとに極性の異なる映像信号を前記画素電極に供給するように構成された駆動部と、を備える表示装置である。
【００１５】
本発明の第２態様による表示装置は、基板上にマトリクス状に配置された複数の画素電極と、前記画素電極が配列する行に沿って配置された複数の走査線と、前記画素電極が配列する列に沿って配置された複数の信号線と、前記複数の走査線と前記複数の信号線とのそれぞれが交差する位置近傍に配置された画素スイッチと、前記複数の信号線の複数の組毎にプリチャージ電圧を供給するように構成されたプリチャージ回路と、前記複数の画素電極の配列する行方向および列方向において、前記複数の組ごとに極性の異なる映像信号を前記画素電極に供給するように構成された駆動部と、を備える表示装置である。
【発明の効果】
【００１６】
本発明によれば、低消費電力を実現する表示装置を提供することができる。
【図面の簡単な説明】
【００１７】
【図１】本発明の一実施形態に係る表示装置の構成例を説明するための図である。
【図２】図１に示す表示装置の信号線駆動回路の構成例について説明するための図である。
【図３】図２に示す表示装置の信号線駆動回路を構成するスイッチング素子の構成例について説明するための図である。
【図４】図１および図２に示す表示装置の駆動方法の一例について説明するためのタイミングチャートである。
【図５Ａ】図１および図２に示す表示装置における極性反転方式について説明するための図である。
【図５Ｂ】図１および図２に示す表示装置における極性反転方式について説明するための図である。
【図６】図１に示す表示装置の信号線駆動回路の他の構成例について説明するための図である。
【図７】比較例に係る表示装置の信号線駆動回路の構成例について説明するための図である。
【図８】比較例に係る表示装置の駆動方法の一例について説明するためのタイミングチャートである。
【発明を実施するための形態】
【００１８】
以下、本発明の第１実施形態に係る表示装置および表示装置の駆動方法について、図面を参照して説明する。本実施形態に係る表示装置は、アレイ基板ＳＢ１と、アレイ基板ＳＢ１と対向するように配置された対向基板（図示せず）と、アレイ基板ＳＢ１と対向基板との間に挟持された液晶層（図示せず）と、マトリクス状に配置された複数の表示画素からなる表示部とを備えた液晶表示装置である。
【００１９】
図１に示すように、アレイ基板ＳＢ１は、複数の表示画素のそれぞれに配置された画素電極ＰＥを備えている。アレイ基板ＳＢ１の複数の画素電極ＰＥが配置された画素領域ＤＹＰには、複数の画素電極ＰＥが配列する行に沿って延びる複数の走査線ＧＬと、複数の画素電極ＰＥが配列する列に沿って延びる複数の信号線ＳＬと、走査線ＧＬと信号線ＳＬとが交差する位置の近傍に設けられた画素スイッチＳＷと、が配置されている。
【００２０】
画素スイッチＳＷは、スイッチング素子として薄膜トランジスタを備えている。画素スイッチＳＷのゲート電極ＧＥは、対応する走査線ＧＬと電気的に接続されている（あるいは一体に形成されている）。画素スイッチＳＷのソース電極は、対応する信号線ＳＬと電気的に接続されている（あるいは一体に形成されている）。画素スイッチＳＷのドレイン電極は、対応する画素電極ＰＥと電気的に接続されている（あるいは一体に形成されている）。
【００２１】
アレイ基板ＳＢ１の画素領域ＤＹＰの周囲には、複数の走査線ＧＬを順次駆動する走査線駆動回路ＧＤが配置されている。走査線駆動回路ＧＤには複数の走査線ＧＬが電気的に接続されている。走査線駆動回路ＧＤは、画素スイッチＳＷと同一の製造プロセスによってアレイ基板ＳＢ１の基板上に一体的に形成されている。走査線駆動回路ＧＤは、複数の走査線ＧＬを駆動する。
【００２２】
アレイ基板ＳＢ１の一端には、フレキシブル配線基板（ＴＣＰ：Tape Carrier Package）８を介して回路基板１１が接続されている。フレキシブル配線基板８には、駆動ＩＣ７が搭載されている。フレキシブル配線基板８の他端は、外部回路基板としての回路基板１１と電気的に接続されている。
【００２３】
アレイ基板ＳＢ１の画素領域ＤＹＰの周囲には、信号線切替回路９と信号線短絡回路１０とが配置されている。駆動ＩＣ７、信号線切替回路９、および、信号線短絡回路１０は、複数の信号線ＳＬを駆動する信号線駆動回路ＳＤを構成している。信号線短絡回路１０には複数の信号線ＳＬが電気的に接続されている。信号線切替回路９および信号線短絡回路１０は、アレイ基板ＳＢ１上に画素スイッチＳＷと同一の製造プロセスで形成されている。
【００２４】
図２に示すように、信号線切替回路９には、フレキシブル配線基板８および駆動ＩＣ７から信号が供給されている。図２および図３に示すように、信号線切替回路９は、複数のスイッチング回路を備えている。図２および図３では、信号線切替回路９の８つのスイッチング回路ＳＷ１Ａ〜ＳＷ８Ａを示している。スイッチング回路ＳＷ１Ａ〜ＳＷ８Ａは、スイッチング素子として薄膜トランジスタを備えている。
【００２５】
スイッチング回路ＳＷ１Ａ、ＳＷ３Ａ、ＳＷ５Ａ、ＳＷ７Ａのゲート電極ＧＥは、制御配線ＡＬ１と電気的に接続されている。制御配線ＡＬ１には、フレキシブル配線基板８からの切替制御信号ＡＳＷ１が供給される。スイッチング回路ＳＷ２Ａ、ＳＷ４Ａ、ＳＷ６Ａ、ＳＷ８Ａのゲート電極ＧＥは、制御配線ＡＬ２と電気的に接続されている。制御配線ＡＬ２には、フレキシブル配線基板８からの切替制御信号ＡＳＷ２が供給される。
【００２６】
スイッチング回路ＳＷ１Ａおよびスイッチング回路ＳＷ２Ａのソース電極ＳＥは、駆動ＩＣ７の出力端子ＯＵＴ１と電気的に接続されている。スイッチング回路ＳＷ３Ａおよびスイッチング回路ＳＷ４Ａのソース電極ＳＥは駆動ＩＣ７の出力端子ＯＵＴ２と電気的に接続されている。スイッチング回路ＳＷ５Ａおよびスイッチング回路ＳＷ６Ａのソース電極ＳＥは駆動ＩＣ７の出力端子ＯＵＴ３と電気的に接続されている。スイッチング回路ＳＷ７Ａおよびスイッチング回路ＳＷ８Ａのソース電極ＳＥは駆動ＩＣ７の出力端子ＯＵＴ４と電気的に接続されている。スイッチング回路ＳＷ１Ａ〜ＳＷ８Ａのドレイン電極ＤＥは、信号線ＳＬ１〜ＳＬ８と電気的に接続されている。
【００２７】
上記のようにスイッチング回路を配置することによって、駆動ＩＣ７の出力端子と接続される信号線を奇数番目と偶数番目とで切り替えることができる。例えば、切替制御信号ＡＳＷ１がスイッチング回路のオン電圧であって、切替制御信号ＡＳＷ２がスイッチング回路のオフ電圧である場合には、奇数番目のスイッチング回路ＳＷ１Ａ、ＳＷ３Ａ、ＳＷ５Ａ、ＳＷ７Ａのソース−ドレイン間が導通し、駆動ＩＣ７の出力端子ＯＵＴ１〜ＯＵＴ４と信号線ＳＬ１、ＳＬ３、ＳＬ５、ＳＬ７とが電気的に接続される。
【００２８】
切替制御信号ＡＳＷ１がスイッチング回路のオフ電圧であって、切替制御信号ＡＳＷ２がスイッチング回路のオン電圧である場合には、偶数番目のスイッチング回路ＳＷ２Ａ、ＳＷ４Ａ、ＳＷ６Ａ、ＳＷ８Ａのソース−ドレイン間が導通し、駆動ＩＣ７の出力端子ＯＵＴ１〜ＯＵＴ４と信号線ＳＬ２、ＳＬ４、ＳＬ６、ＳＬ８とが電気的に接続される。
【００２９】
信号線短絡回路１０には、フレキシブル配線基板８から制御信号ＰＲＥＣ１、ＰＲＥＣ２が供給されている。信号線短絡回路１０は、複数のスイッチング回路備えている。図２および図３には、信号線短絡回路１０の８つのスイッチング回路ＳＷ１Ｂ〜ＳＷ８Ｂを示している。
【００３０】
スイッチング回路ＳＷ１Ｂ、ＳＷ３Ｂ、ＳＷ５Ｂ、ＳＷ７Ｂのゲート電極ＧＥは、制御配線ＰＬ１と電気的に接続されている。スイッチング回路ＳＷ２Ｂ、ＳＷ４Ｂ、ＳＷ６Ｂ、ＳＷ８Ｂのゲート電極ＧＥは、制御配線ＰＬ２と電気的に接続されている。
【００３１】
スイッチング回路ＳＷ１Ｂ〜ＳＷ８Ｂのソース電極ＳＥは信号線ＳＬ１〜ＳＬ８と電気的に接続されている。スイッチング回路ＳＷ１Ｂ、ＳＷ３Ｂ、ＳＷ５Ｂ、ＳＷ７Ｂのドレイン電極ＤＥは、短絡配線ＳＨＬ１と電気的に接続されている。スイッチング回路ＳＷ２Ｂ、ＳＷ４Ｂ、ＳＷ６Ｂ、ＳＷ８Ｂのドレイン電極ＤＥは、短絡配線ＳＨＬ２と電気的に接続されている。
【００３２】
このようにスイッチング回路ＳＷ１Ｂ〜ＳＷ８Ｂを配置することによって、偶数番目の信号線同士あるいは奇数番目の信号線同士を電気的に接続させることが可能となる。すなわち、信号線短絡回路１０は、複数の信号線ＳＬの複数の組毎に短絡させるように構成されている。本実施形態では、信号線短絡回路１０は、奇数番目の信号線ＳＬ１、ＳＬ３、ＳＬ５…の組と、偶数番目の信号線ＳＬ２、ＳＬ４、ＳＬ６…の組とを、組毎に短絡可能に構成されている。
【００３３】
例えば、制御信号ＰＲＥＣ１がスイッチング回路のオン電圧であって、制御信号ＰＲＥＣ２がスイッチング回路のオフ電圧である場合には、奇数番目の信号線ＳＬ１、ＳＬ３、ＳＬ５、ＳＬ７が互いに電気的に接続され短絡した状態となる。制御信号ＰＲＥＣ１がスイッチング回路のオフ電圧であって、制御信号ＰＲＥＣ２がスイッチング回路のオン電圧である場合には、偶数番目の信号線ＳＬ２、ＳＬ４、ＳＬ６、ＳＬ８が互いに電気的に接続され短絡した状態となる。
【００３４】
駆動ＩＣ７は、複数の画素電極ＰＥの配列する行方向および列方向において、信号線の組の数ごとに、極性の異なる映像信号を画素電極ＰＥに供給するように構成されている。本実施形態では、信号線の組の数が２組であるため、複数の画素電極ＰＥの配列する行方向および列方向において、画素電極ＰＥに供給される映像信号の極性は２つの画素電極ＰＥ毎に反転される。
【００３５】
なお、図３に示すように、信号線切替回路９と信号線短絡回路１０とを構成する薄膜トランジスタ（ＴＦＴ：Thin film transistor）のレイアウト（チャネルの向き）は、同一に揃えることが好ましい。図３では、信号線切替回路９と信号線短絡回路１０とを構成する薄膜トランジスタは、半導体層ＳＣに対して、ソース−ドレインパス、ゲート電極ＧＥが同一のレイアウトで配置されている。
【００３６】
半導体層ＳＣとしてポリシリコン層を備えた薄膜トランジスタを形成する際、ＥＬＡ（Excimer Laser Anneal）の照射方向の違いにより、薄膜トランジスタの特性が変化してしまう場合があるが、図３に示すように、薄膜トランジスタのレイアウトを同一に揃えることにより、薄膜トランジスタの特性ばらつきが少なくなり、信号線ＳＬへの書き込み特性が、画面内で均一となり、良好な画質の表示を実現させることができる。
【００３７】
次に、上記の表示装置の駆動方法について図面を参照して説明する。図４に、本実施形態に係る表示装置の駆動方法の一例を説明するためのタイミングチャートを示す。図４に示す最初の１水平期間（１Ｈ）において、走査線駆動回路ＧＤは、走査線ＧＬに画素スイッチＳＷのオン電圧を供給する。そして、信号線駆動回路ＳＤは、制御信号ＰＲＥＣ１をスイッチング回路のオン電圧とし、奇数番目の信号線ＳＬ１、ＳＬ３、…を短絡させる。したがって、奇数番目の信号線ＳＬ１、ＳＬ３、…の電位Ｓ１、Ｓ３は、中間電位となる（時刻ｔ０〜ｔ１）。
【００３８】
時刻ｔ０以前では、信号線ＳＬ１、ＳＬ３、ＳＬ５…の電位は、正極性と負極性との数がほぼ同数であるため、信号線ＳＬ１、ＳＬ３、…を短絡することにより、これらの奇数番目の信号線ＳＬ１、ＳＬ３、…の電位Ｓ１、Ｓ３、…はほぼ中間電位となる。
【００３９】
信号線駆動回路ＳＤは、奇数番目の信号線ＳＬ１、ＳＬ３、…の電位が中間電位となった後に、制御信号ＰＲＥＣ１をスイッチング回路のオフ電圧とし、制御信号ＡＳＷ１をスイッチング回路のオン電圧とする（時刻ｔ２〜ｔ３）。
【００４０】
このとき、スイッチング回路ＳＷ１Ａ、ＳＷ３Ａ、…のソース−ドレイン間が導通し、駆動ＩＣ７の出力端子ＯＵＴ１、ＯＵＴ２、…と奇数番目の信号線ＳＬ１、ＳＬ３、…とが電気的に接続される。図４に示すように、信号線ＳＬ１には駆動ＩＣ７の出力端子ＯＵＴ１から負極性の映像信号が供給され、信号線ＳＬ３には駆動ＩＣ７の出力端子ＯＵＴ２から正極性の映像信号が供給される。信号線ＳＬ１の電位Ｓ１は負極性となり、信号線ＳＬ３の電位Ｓ３は正極性となる。
【００４１】
ここで、信号線ＳＬ１、ＳＬ３、ＳＬ５…には、駆動ＩＣ７から、正極性信号あるいは負極性信号が書き込まれるが、あらかじめ、各信号線ＳＬ１、ＳＬ３、ＳＬ５…の電位Ｓ１、Ｓ３、Ｓ５…は中間電位となっているため、駆動ＩＣ７は、信号線電位Ｓ１、Ｓ３、Ｓ５…を中間電位から正電位あるいは負電位へ変化させるのみで足りる。
【００４２】
また、時刻ｔ３において、制御信号ＡＳＷ１がスイッチング回路のオフ電圧となり、時刻ｔ４において、制御信号ＡＳＷ２がスイッチング回路のオン電圧となり、スイッチング回路ＳＷ２Ａ、ＳＷ４Ａ、ＳＷ６Ａ…のソース−ドレイン間が導通する。制御信号ＡＳＷ２がオン電圧となる前の、信号線ＳＬ２、ＳＬ４、ＳＬ６…の初期電位は、それぞれ負、正、負…であり、制御信号ＡＳＷ２がオン電圧となった後、信号線ＳＬ２、ＳＬ４、ＳＬ６…に書き込むべき電圧も、負、正、負…であるため、信号線ＳＬ２、ＳＬ４、ＳＬ６…の電位Ｓ２、Ｓ４、Ｓ６…の極性を変化させる必要がない。したがって、このタイミングにおいて、駆動ＩＣ７はほとんど電力を消費することが無い。
【００４３】
次の１水平期間（１Ｈ）において、走査線駆動回路ＧＤは、走査線ＧＬｎ＋１に画素スイッチＳＷのオン電圧を供給する。そして、信号線駆動回路ＳＤは、制御信号ＰＲＥＣ２をスイッチング回路のオン電圧とし、偶数番目の信号線ＳＬ２、ＳＬ４、…を短絡させる。したがって、偶数番目の信号線ＳＬ２、ＳＬ４、…の電位Ｓ２、Ｓ４は、中間電位となる（時刻ｔ６〜ｔ７）。
【００４４】
信号線駆動回路ＳＤは、偶数番目の信号線ＳＬ２、ＳＬ４、…の電位が中間電位となった後に、制御信号ＰＲＥＣ２をスイッチング回路のオフ電圧とし、制御信号ＡＳＷ２をスイッチング回路のオン電圧とする（時刻ｔ８〜ｔ９）。
【００４５】
このとき、スイッチング回路ＳＷ２Ａ、ＳＷ４Ａ、…のソース−ドレイン間が導通し、駆動ＩＣ７の出力端子ＯＵＴ１、ＯＵＴ２、…と偶数番目の信号線ＳＬ２、ＳＬ４、…とが電気的に接続される。図４に示すように、信号線ＳＬ２には駆動ＩＣ７の出力端子ＯＵＴ１から正極性の映像信号が供給され、信号線ＳＬ４には駆動ＩＣ７の出力端子ＯＵＴ２から負極性の映像信号が供給される。
【００４６】
ここで、信号線ＳＬ２、ＳＬ４、ＳＬ６…には、駆動ＩＣ７から、正極性信号あるいは負極性信号が書き込まれるが、あらかじめ、各信号線ＳＬ２、ＳＬ４、ＳＬ６…の電位Ｓ２、Ｓ４、Ｓ６…は中間電位となっているため、駆動ＩＣ７は、信号線電位Ｓ２、Ｓ４、Ｓ６…を中間電位から正電位あるいは負電位へ変化させるのみで足りる。
【００４７】
また、時刻ｔ９において、制御信号ＡＳＷ２がスイッチング回路のオフ電圧となり、時刻ｔ１０において、制御信号ＡＳＷ１がスイッチング回路のオン電圧となり、スイッチング回路ＳＷ１Ａ、ＳＷ３Ａ、ＳＷ５Ａ…のソース−ドレイン間が導通する。制御信号ＡＳＷ１がオン電圧となる前の、信号線ＳＬ１、ＳＬ３、ＳＬ５…の初期電位は、それぞれ負、正、負…であり、制御信号ＡＳＷ１がオン電圧となった後、信号線ＳＬ１、ＳＬ３、ＳＬ５…に書き込むべき電圧も、負、正、負…であるため、信号線ＳＬ１、ＳＬ３、ＳＬ５…の電位の極性を変化させる必要がない。したがって、このタイミングにおいて、駆動ＩＣ７は、ほとんど電力を消費することが無い。
【００４８】
図５Ａおよび図５Ｂには、２Ｈ２Ｖ駆動方式による任意の１垂直走査期間での画面内の正負極性分布の一例を示してある。図５Ａには、任意のｎフレームでの正負極性分布を示し、図５Ｂには、任意のｎ＋１フレームでの正負極性分布を示している。図５Ａおよび図５Ｂに示すように、各画素電極ＰＥに供給される信号の極性は、１フレーム毎に反転される。
【００４９】
ここで、例えば、図７に示すように、信号線短絡回路１０が全ての信号線ＳＬを短絡するように構成されている場合について検討する。なお、図７に示す表示装置の構成は、信号線短絡回路１０の構成以外は、上述の実施形態に係る表示装置の構成と同様である。
【００５０】
図７に示す信号線短絡回路１０は、複数のスイッチング回路ＳＷ１Ｃ〜ＳＷ８Ｃ…を備えている。スイッチング回路ＳＷ１Ｃ〜ＳＷ８Ｃ…は、スイッチング素子として薄膜トランジスタを備えている。スイッチング回路ＳＷ１Ｃ〜ＳＷ８Ｃ…のゲート電極ＧＥは、制御配線ＰＬと電気的に接続されている。スイッチング回路ＳＷ１Ｃ〜ＳＷ８Ｃ…のソース電極ＳＥは、信号線ＳＬ１〜ＳＬ８…と電気的に接続されている。スイッチング回路ＳＷ１Ｃ〜ＳＷ８Ｃ…のドレイン電極ＤＥは、短絡配線ＳＨＬと電気的に接続されている。
【００５１】
上記の表示装置において、２Ｈ２Ｖ駆動方式と信号線短絡駆動とを組み合わせると、図８に示すように、例えば信号線ＳＬ１の電位Ｓ１は、時刻ｔ６において負極性から中間電位へと変化し、時刻ｔ８において中間電位から再び負極性へと変化している。このように、次の１水平期間で信号線ＳＬの極性が反転しない場合でも、全ての信号線ＳＬが一度短絡されて中間電位となるため、駆動ＩＣ７の消費電力を抑制することが困難となる。
【００５２】
これに対し、本実施形態に係る表示装置では、奇数番目の信号線ＳＬ１、ＳＬ３、ＳＬ５…と偶数番目の信号線ＳＬ２、ＳＬ４、ＳＬ６…とを分けて、独立に短絡可能に信号線短絡回路１０を構成することにより、２Ｈ２Ｖ駆動方式と信号線短絡駆動との消費電力低減効果を最大限に活かすことができる。すなわち、本実施形態に係る表示装置によれば、低消費電力を実現する表示装置を提供することができる。
【００５３】
次に、本発明の第２実施形態に係る表示装置および表示装置の駆動方法について、図面を参照して以下に説明する。なお、以下の説明において、上述の第１実施形態に係る表示装置と同様の構成については、同一の符号を付して説明を省略する。
【００５４】
図６に示すように、本実施形態に係る表示装置は信号線駆動回路ＳＤの構成以外は、上述の第１実施形態に係る表示装置と同様である。信号線駆動回路ＳＤの信号線短絡回路１０は、短絡配線に代えて、プリチャージ配線ＰＲＬ１、ＰＲＬ２を備えている。
【００５５】
プリチャージ配線ＰＲＬ１は、スイッチング回路ＳＷ１Ｂ、ＳＷ３Ｂ、ＳＷ５Ｂ、ＳＷ７Ｂ…のドレイン電極ＤＥと電気的に接続されている。プリチャージ配線ＰＲＬ２は、スイッチング回路ＳＷ２Ｂ、ＳＷ４Ｂ、ＳＷ６Ｂ、ＳＷ８Ｂ…のドレイン電極ＤＥと電気的に接続されている。
【００５６】
すなわち、信号線短絡回路１０は、複数の信号線ＳＬの複数の組毎にプリチャージ電圧を供給するように構成されたプリチャージ回路である。本実施形態では、信号線短絡回路１０は、奇数番目の信号線ＳＬ１、ＳＬ３、ＳＬ５…の組と、偶数番目の信号線ＳＬ２、ＳＬ４、ＳＬ６…の組とについて、組毎にプリチャージ電圧を供給可能に構成されている。
【００５７】
プリチャージ配線ＰＲＬ１、ＰＲＬ２には、フレキシブル配線基板８を介して回路基板１１からプリチャージ電圧Ｖｐｒｅが供給されている。プリチャージ電圧Ｖｐｒｅとしては、正極性と負極性との中間電圧が採用されている。中間電圧とは、例えば、正極性信号の最大値と負極性信号の最大値との略中央値となる電圧である。
【００５８】
これにより、表示画面に関わらず、確実にプリチャージ期間（制御配線ＰＲＥＣ１あるいは制御配線ＰＲＥＣ２にスイッチング回路のオン電圧が供給されている期間）中に、プリチャージ配線と電気的に接続された信号線ＳＬの電位を中間電位に設定することが出来る。したがって、本実施形態に係る表示装置によれば、消費電力低減効果を安定して得ることが出来る。すなわち、本実施形態に係る表示装置によれば、低消費電力を実現する表示装置を提供することができる。
【００５９】
なお、本発明は上記実施形態そのままに限定されるものではなく、実施段階ではその要旨を逸脱しない範囲で構成要素を変形して具体化できる。
【００６０】
上述の第１および第２実施形態に係る表示装置では、駆動ＩＣ７の出力端子の数は、信号線の本数の半分であり、信号線切替回路９により駆動ＩＣ７の１つの出力端子について２本の信号線を切り替えて映像信号を出力することとしたが、これに限られるものではない。
【００６１】
例えば、出力端子ＯＵＴの数を信号線の数の４分の１にすることも出来る。この場合には、駆動ＩＣ７の１つの出力端子について、４本の信号線を切り替えられるようにする。信号線の選択数に限らず、本実施例の信号線短絡回路、信号線プリチャージ回路の構成は変わらず、消費電力低減効果を得ることが出来る。
【００６２】
さらに、上記第１および第２実施形態に係る表示装置では、極性反転方式として２Ｈ２Ｖ反転方式を採用した場合について説明したが、他の極性反転方式を採用した表示装置にも適用することができる。例えば、３Ｈ３Ｖ反転方式を採用した表示装置では、信号線短絡回路１０は、信号線ＳＬ１、ＳＬ４…を短絡するスイッチング回路と、信号線ＳＬ２、ＳＬ５…を短絡するスイッチング回路と、信号線ＳＬ３、ＳＬ６…を短絡するスイッチング回路とを備えている。このように信号線ＳＬを分けて独立して短絡するように構成することにより、上述の第１および第２実施形態に係る表示装置と同様の効果を得ることができる。
【００６３】
また、上記第１および第２実施形態に係る表示装置は液晶表示装置であったが、本願発明は、有機ＥＬ装置等の他の表示装置にも適用することが可能である。第１および第２実施形態に係る表示装置と同様に信号線短絡回路を備えることによって、上述の第１および第２実施形態に係る表示装置と同様の効果を得ることができる。
【００６４】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６５】
ＰＥ…画素電極、ＧＬ…走査線、ＳＬ…信号線、ＳＷ…画素スイッチ、ＧＤ…走査線駆動回路、ＳＤ…信号線駆動回路、１…アレイ基板ＳＢ、７…駆動ＩＣ、８…フレキシブル配線基板、９…信号線切替回路、１０…信号線短絡回路、１１…回路基板
【図１】
2011164281.tif 000003
【図２】
2011164281.tif 000004
【図３】
2011164281.tif 000005
【図４】
2011164281.tif 000006
【図５Ａ】
2011164281.tif 000007
【図５Ｂ】
2011164281.tif 000008
【図６】
2011164281.tif 000009
【図７】
2011164281.tif 000010
【図８】
2011164281.tif 000011